(57)【要約】【課題】  連結孔を有していない釣竿であっても連結できる尻手ロープを提供することで、釣竿の紛失を防止する。【解決手段】  一本のロープ５０において、そのロープ５０の一端に、繋ぎ止めるもの（代表的にはロッドホルダー）に連結する連結部材２０を取り付け、前記ロープ５０の他端は、その端部を折り曲げて、釣竿６０を通すための釣竿挿入口１０ａを形成するとともに、その釣竿挿入口１０ａの大きさを調整するための絞り部材３０を設ける。前記の連結部材２０は、連結用環状部２１と、開閉部を備えたフック部２２とを備えるとともに、その連結用環状部２１と該フック部２２とがロープ５０の端部で回転自在に固定されているナスカンとする。【選択図】  図１
2014007991.tif 000002
【特許請求の範囲】
【請求項１】
釣竿を繋ぎ止めておくための尻手ロープであって、
ロープと、
そのロープの一端に繋ぎ止めるものへ連結するための連結部材と、
前記ロープにおける前記の連結部材とは反対側の他端側には前記の釣竿を通すための釣竿挿入口を形成するとともに、その釣竿挿入口の大きさを調整するための絞り部材と、
を備えた尻手ロープ。
【請求項２】
前記の連結部材は、連結用環状部と、開閉部を備えたフック部とを備えるとともに
その連結用環状部と該フック部とがロープ端部で回転自在に固定されているナスカンとした請求項１記載の尻手ロープ。
【請求項３】
前記の絞り部材は、筒体をなすとともにその筒体の曲面にロープを貫通させられる貫通孔を備えたコードストッパー本体と、そのコードストッパー本体の貫通孔を貫通するロープを貫通孔における壁面の一方向へ押さえ付けるように付勢された止め部材とを備えたコードストッパーとした請求項１または請求項２のいずれか記載の尻手ロープ。
【請求項４】
前記の釣竿挿入口を形成した前記ロープには、前記釣竿と接して摩擦力を増やす滑り止め部材を取り付けた請求項１から請求項３のいずれかに記載の尻手ロープ。
【発明の詳細な説明】
【技術分野】
【０００１】
本発明は、魚釣りに用いる尻手ロープに関するものである。
【背景技術】
【０００２】
魚釣りにおいて、釣り人が釣竿を持つ手をうっかり放したときや、釣り針に引っかかった魚が与えた衝撃がロッドホルダーへ保持していた釣り竿をロッドホルダーから外してしまうほど強いとき、釣竿ごと海や川へ流出してしまうことがある。
このような事態を防止するため、紐状部材を連結するための係止具を設けている釣竿が存在する。例えば、この係止具と釣り人の着衣に設けられたベルト孔とを、特許文献１に記載のような紐状部材により繋げることで、紛失を防止しようというものである。
この「紐状部材」は、一般的に、尻手ロープまたはエンドロープという。
【先行技術文献】
【特許文献】
【０００３】
【特許文献１】特開２００９−８９６０４号公報
【発明の概要】
【発明が解決しようとする課題】
【０００４】
しかし、前述のような係止具を有していない釣り竿においては、尻手ロープによる釣り竿の紛失を防止できない。
そこで本発明は、特許文献１に記載された「竿用尻手ロープ係止具(５)」や連結孔を有していない釣竿であっても、紛失防止をすることができる尻手ロープを提供することにある。
【課題を解決するための手段】
【０００５】
（第一の発明）
請求項１記載の発明は、釣竿６０をその釣竿６０よりも重いもの（たとえばロッドホルダー）へ繋ぎ止めておくための尻手ロープ１０に係る。
すなわち、ロープ５０と、  そのロープ５０の一端に繋ぎ止めるもの（たとえばロッドホルダー）へ連結するための連結部材２０と、  を備える。  また、前記ロープ５０における連結部材２０とは反対側の他端側には釣竿６０を通すための釣竿挿入口１０ａを形成するための絞り部材３０を備え、その絞り部材３０は、前記の釣竿挿入口１０ａの大きさを調整することが可能である。
【０００６】
（用語説明）
「ロープ５０」としては、ナイロンなど合成樹脂製の紐状部材、金属製のリング連結型などがある。素材に伸縮性を持たせたり、スプリング機能のある部位を一部に形成したりするものが多い。
「絞り部材３０」とは、後述する発明のバリエーションで特定するほか、紐状部材の釣り竿挿入口１０ａの大きさを調整して固定するストッパとして用いることができるものが利用可能である。
【０００７】
（作用）
尻手ロープ１０を用いるときは、釣り人は、まず連結部材２０を、その釣竿６０よりも重いもの、たとえばロッドホルダー、釣り竿とともに釣り人が持参したクーラーボックスなどにおいて、連結部材２０が取り付けられる部位、たとえばロッドホルダーにおける所定の連結具、クーラーボックスであればクーラーボックスのベルトなどに取り付ける。
次に、釣竿のグリップ部６０ａを前記ロープ５０の一端に設けられた釣竿挿入口１０ａの中に通し、そのグリップ部６０ａにおける任意の位置において、絞り部材３０を用いて釣竿挿入口１０ａを狭めていく。これによってロープ５０が、釣竿のグリップ部６０ａを結束する。この状態であれば、釣竿６０が抜け落ちることがなく、釣竿６０に予期せぬ外力が加わったとしても、釣竿６０が意図せぬ場所まで飛ばされるような事態を防ぐことができる。
釣竿６０を尻手ロープ１０から取り外すときは、絞り部材３０を緩め、釣竿挿入口１０ａを広げ、釣竿のグリップ部６０ａを引き抜く。
【０００８】
（第一の発明のバリエーション１）
第一の発明は、以下のように形成してもよい。
すなわち、前記の連結部材２０は、連結用環状部２１と、開閉部を備えたフック部２２とを備えるとともに、その連結用環状部２１と該フック部２２とがロープ５０の端部で回転自在に固定されているナスカンとする。
【０００９】
（用語説明）
「ナスカン」とは、金属や硬質樹脂で形成された環（カン）の一部にスプリング入りのヒンジを設けており、環の内側方向へ押し入れると環が開く構造を有した環状の金具をいう。
【００１０】
（作用）
連結部材２０をナスカンとすることで、釣り竿を紛失させないために繋いでおくもの（ロッドホルダー、クーラーボックスのベルト、着衣のベルト通しなど）に対して簡便かつ強固に連結することができる。また、ナスカンのフック部２２はロープ５０に対して回転自在に軸支されているため、尻手ロープ１０が釣竿６０などに絡みにくくなる効果も期待できる。
【００１１】
（第一の発明のバリエーション２）
第一の発明は、以下のように形成してもよい。
すなわち、前記の絞り部材３０は、筒体をなすとともにその筒体の曲面にロープ５０を貫通させられる貫通孔３０ａを備えたコードストッパー本体３２と、そのコードストッパー本体３２の貫通孔３０ａを貫通するロープ５０を貫通孔３０ａにおける壁面の一方向へ押さえ付けるように付勢された止め部材３１とを備えたコードストッパー３０Ａとする（図７参照）。
【００１２】
（作用）
コードストッパー３０Ａの止め部材３１を、コードストッパー本体３２側に押し、本体３２と止め部材３１との貫通孔３０ａを貫通させる。そして、その状態のまま、前記ロープ５０の端部を、コードストッパー３０Ａの貫通孔３０ａに通し、さらに折り返した端部を貫通孔３０ａに通す。これにより、前記ロープ５０を折り返したループ部が、釣竿のグリップ部６０ａを挿入するための釣竿挿入口１０ａを形成する。これによれば、コードストッパー３０Ａの止め部材３１が、貫通孔３０ａの内部において、前記ロープ５０を押圧することで、前記ロープ５０が緩みにくくなるため、釣竿６０の保持力を上げることができる。
【００１３】
（第一の発明のバリエーション３）
第一の発明は、前記の釣竿挿入口１０ａを形成した前記ロープ５０について、釣竿６０と接して摩擦力を増やす滑り止め部材４０を取り付けることとしてもよい。
【００１４】
（用語説明）
「滑り止め部材４０」とは、前記貫通孔３０ａを形成する前記ロープ５０の部位に、たとえばゴム製のパイプをかぶせるといったものである（図５参照）。
【００１５】
（作用）
前記釣竿６０の素材によっては、前記止め部材３１では、釣竿６０が抜け落ちやすい場合がある。この場合に、滑り止め部材４０を前記ロープ５０の一端に形成した前記の釣竿挿入口１０ａに滑り止め部材４０を設ける。これにより、その滑り止め部材４０と前記のグリップ部６０ａとが接する面の摩擦力により、前記の釣竿６０が抜け落ちるのを防止することができる。
【００１６】
第一の発明においては、前記ロープ５０を高強度ポリアミド繊維入りのウレタン素材とすると、長時間、屋外で使用しても劣化しにくい。また、大きな外力が加わった場合（たとえば体長の大きい魚が釣竿６０に引っ掛かった場合）であっても、前記ロープ５０が切れにくくなるという効果が期待できる。
【発明の効果】
【００１７】
第一の発明によれば、尻手ロープ用の連結孔を有しない釣竿であっても、取り付けることが可能な尻手ロープを提供することができた。
【図面の簡単な説明】
【００１８】
【図１】第一の実施形態に係る尻手ロープの斜視図である。
【図２】第一の実施形態におけるロープのバリエーションを示す図である。
【図３】第一の実施形態における要部を示す斜視図である。
【図４】（ａ）は第一の実施形態における釣竿側の拡大図であり、（ｂ）は、第一の実施形態における連結部材側の拡大図である。
【図５】滑り止め部材のバリエーションを示す図である。
【図６】尻手ロープの従来例を示す図である。
【図７】コードストッパーを説明するための図 である。
【発明を実施するための形態】
【００１９】
本発明に係る実施の形態について、図面を参照しながら説明する。ここで用いる図面は、図１から図５、および図７である。図６は従来技術の逗子例であり、比較のために用いる。
【００２０】
（第一の実施形態）
第一の実施形態に係る尻手ロープ１０は、ナスカン２０と、ロープ５０と、貫通孔が一つであるコードストッパー３０Ａとで構成する。
前記ロープ５０は、合成樹脂繊維からなる。なお、ロープで示したが、本発明はこれに限定されない。ワイヤ、ベルト、テープ、組みひもなどで構成してもよい。また、図２（ｂ）に示すように、前記ロープ等の外周形状を扁平状５０Ｂ、数珠状５０Ｃ、蛇腹状（図示しない）などにしてもよい。
【００２１】
コードストッパー３０Ａは、コードストッパー本体３２の内部に、止め部材３１およびその止め部材３１を付勢するための弾性部材（スプリング）３３を内蔵している。その弾性部材３３は、コードストッパー本体３２における筒体の軸方向の一方へ付勢している。
また、コードストッパー３０Ａは、前記の止め部材３１の深度を前記の弾性部材３３で調整することで、前記の本体貫通孔３０ａａと前記の止め部材貫通孔３０ａｂの重なりを調整する。  二つの貫通孔が完全に重なった場合には、その貫通孔３０ａに挿入されるひも状部材は自由に貫通し、重なり部分が狭くなるにつれて、前記ひも状部材は抜けにくくなる。したがって、紐状部材等をその貫通孔に通すと、止め部材３１を押したときのみひも状部材が可動になるため、主に、ひも状部材の長さまたは大きさを調整するために用いられる。
【００２２】
弾性部材３３がコードストッパー本体３２における筒体の軸方向の一方へ付勢しているので、前記コードストッパー３０Ａの貫通孔３０ａから抜けにくくなり、釣竿の保持力を向上させられる。
前記のロープ５０は、強度をもたせるため、高強度のポリアミド繊維を含むウレタン素材とし、さらに紫外線による劣化防止のため、前記のウレタン素材に紫外線吸収剤を入れることが好ましい。
【００２３】
前記ロープ５０の一端は折り返し、その端部付近およびその端部付近と隣り合うロープ中間部分とへ止め金具７０を固定することにより連結用ループ部１１ａを形成する。そして、この連結用ループ部１１ａに、ナスカン２０を連結する。
ナスカン２０は、連結用環状部２１と、開閉部を備えたフック部２２とを有する。前記フック部２２と前記の連結用環状部２１とは、回転自在に軸支されている。このナスカン２０は、ロッドホルダー、またはクーラーボックスなどに設けられた連結孔などに引っ掛けることで、尻手ロープ１０を連結するために使用される。ナスカンの形状は、図１に示すナスカンの形状に限らず、開閉部を備えたフック部を有するナスカンであればよい。
本実施形態では、連結部材２０はナスカン２０を採用したが、前記の連結孔等に連結することができるものであればよい。ただし、サルカンやリング状フックよりは、ナスカンの方が着脱のアクションが容易であるというメリットがある。
【００２４】
前記の連結部材２０と前記ロープ５０との連結には、前記ロープ５０にループ部１１ａを形成しなくてもよい。
前記ロープ５０の他端は、その端部をコードストッパー３０Ａの貫通孔３０ａに挿入し、折り返した端部を、さらに同じ貫通孔３０ａに挿入することで、釣竿挿入口１０ａを形成する。そして、前記の端部近傍を止め金具７０により止める。
【００２５】
前記したコードストッパー３０Ａは、貫通孔３０ａが一つのものに限らず、貫通孔３０ａを二つ以上形成するように固定するものであってもよい。また、コードストッパー３０Ａの形状も図１に示すものに限定されない。
さらには、絞り部材３０としてコードストッパー３０Ａを採用したが、釣竿挿入口１０ａの大きさを調整できるものであればよく、コードストッパー３０Ａでなくてもよい。
【００２６】
釣竿挿入口１０ａは、少なくとも釣竿の元側におけるグリップ部６０ａが挿入できる大きさを有するように形成する。このとき、釣竿挿入口１０ａを形成するロープ５０の部位を、他のロープの部位より太くしたり、扁平５０Ｂを採用したり、術状５０Ｃを採用してもよい。前記コードストッパー３０Ａの貫通孔３０ａから抜けにくくなるため、釣竿６０の保持力が向上するからである。
【００２７】
釣竿６０を尻手ロープ１０に取り付けるためには、釣竿のグリップ部６０ａを、釣竿挿入口１０ａに挿入する。そして、グリップ部６０ａが任意の位置まできたら、コードストッパー３０Ａの止め部材３１を、本体３２側に押すことで、前記コードストッパー３０Ａを可動にし、前記釣竿のグリップ部６０ａが抜け落ちない程度にまで前記の釣竿挿入口１０ａを小さくする。なお、釣竿６０を尻手ロープ１０から取り外すためには、前記コードストッパー３０Ａを上記と同様に、可動にし、前記の釣竿挿入口１０ａを広げる。このとき、前記コードストッパー３０Ａの位置は、前記の釣竿のグリップ部６０ａに設けられた段差などを利用すると、抜けにくい。
【００２８】
なお、尻手ロープ１０は、釣竿挿入口１０ａに挿入することができ、また、釣竿挿入口１０ａの大きさを調整することで、そのものを保持することができるものであれば、釣竿６０以外のものであっても取り付けることができる。
【００２９】
（第二の実施形態）
第二の実施形態に係る尻手ロープ１０は、ナスカン２０と、ロープ５０と、コードストッパー３０Ａと、滑り止め部材４０とで構成する。
【００３０】
滑り止め部材４０は、釣竿挿入口１０ａを形成する部位に設ける。この滑り止め部材４０としては、不織布であって、前記の釣竿のグリップ部６０ａに接するように前記ロープ５０に取り付けた４０Ａである。不織布を採用すると、濡れていてもグリップ力の低下が小さいというメリットがある。
その他、前記ロープ５０にゴムを巻き付けた滑り止め部材４０Ｂ、ゴム管を挿入した滑り止め部材４０Ｃなどを採用してもよい。いずれも釣竿のグリップ部６０ａより摩擦係数の大きいものとする。  摩擦係数の大きな滑り止め部材４０を採用することで、抜け落ちやすい釣竿６０やロープ５０である場合であっても、釣竿６０の抜け落ちを防止することができるからである。
【産業上の利用可能性】
【００３１】
本発明は、釣具、釣用備品または雑貨の製造業、漁業、釣り具のレンタル業、釣り船サービス業、などにおいて利用可能性を有する。
【符号の説明】
【００３２】
１０      尻手ロープ            １０ａ    釣竿挿入口
１０ｂ    連結用ループ部
２０      連結部材              ２０ａ    連結孔
２１      連結用環状部          ２２      フック部
３０      絞り部材              ３０Ａ    コードストッパー
３０ａ    貫通孔                ３０ａａ  本体の貫通孔
３０ａｂ  止め部材の貫通孔
３１      止め部材              ３２      コードストッパー本体
３３      スプリング
４０      滑り止め部材
５０      ロープ
６０      釣竿                  ６０ａ  釣竿のグリップ部
７０      止め金具
【図１】
2014007991.tif 000003
【図２】
2014007991.tif 000004
【図３】
2014007991.tif 000005
【図４】
2014007991.tif 000006
【図５】
2014007991.tif 000007
【図６】
2014007991.tif 000008
【図７】
2014007991.tif 000009